(57)【要約】【課題】換気と防音の両立を安価に実現できる建物の換気構造を提供する。【解決手段】建物本体１から屋外側に突出する塀２（突出部）に、一方が屋外に通じ他方が屋内に通じる通風路３が形成された建物の換気構造であって、前記塀２には、通風路３内で吸音可能な通風路長さＬが確保されていることを特徴とする。【選択図】　図１
2004108100.tif 000002
【特許請求の範囲】
【請求項１】
建物本体から屋外側に突出する突出部に、一方が屋外に通じ他方が屋内に通じる通風路が形成された建物の換気構造であって、
前記突出部には、通風路内で吸音可能な通風路長さが確保されていることを特徴とする建物の換気構造。
【請求項２】
通風路の吸気導入部分での形状を広くすることを特徴とする請求項１記載の建物の換気構造。
【請求項３】
前記突出部は、建物の塀であることを特徴とする請求項１または２記載の建物の換気構造。
【請求項４】
前記突出部は、建物の軒部材または庇であることを特徴とする請求項１または２記載の建物の換気構造。
【発明の詳細な説明】
【０００１】
【発明の属する技術分野】
本発明は、建物の換気構造に関する。
【０００２】
【従来の技術】
従来、ダクトユニットに外来騒音を打ち消す付加音放射手段を設け、建物の換気と外来騒音の遮音との両立が実現できるようにした消音装置付きダクトユニットが知られている（例えば、特許文献１参照）。
また、ベンチュリーに隙間を有して固定されるオリフィスと、Ｌ字形管体のオリフィス押さえと、ベンチュリーとオリフィスを囲む圧力チャンバーとから換気装置を構成し、オリフィス押さえの内壁面に吸音材を張り付けた静音性にすぐれた換気装置も知られている（例えば、特許文献２参照）。
また、自然換気するシステムにおいて、ハチの巣状の六角通風穴を形成した六角枠材本体と、六角枠材本体内に騒音を吸音する六角吸音錐状体とから構成し、該六角吸音錐状体の騒音吸音穴を介して外部から入る音を六角枠材本体にはじいて送り込み、騒音を吸音カットする建物の自然換気機構も知られている（例えば、特許文献３参照）。
【０００３】
【特許文献１】
特開平６−３４１１７４号公報
【特許文献２】
特開平６−３００３３４号公報
【特許文献３】
特開２００１−３５５２号公報
【０００４】
【発明が解決しようとする課題】
しかしながら、特許文献１〜３に記載の従来技術は、いずれも、建物の換気と防音の両立を図るものであるが、機構が複雑になり安価に実現できるものではなかった。
【０００５】
本発明の課題は、換気と防音の両立を安価に実現できる建物の換気構造を提供することにある。
【０００６】
【課題を解決するための手段】
請求項１記載の発明は、建物本体から屋外側に突出する突出部に、一方が屋外に通じ他方が屋内に通じる通風路が形成された建物の換気構造であって、
前記突出部には、通風路内で吸音可能な通風路長さが確保されていることを特徴とする。
【０００７】
請求項１記載の発明において、通風路を突出部の突出方向に直線的に形成する場合、突出部の突出寸法を通風路内で吸音可能な寸法にして通風路長さを確保すればよい。また、通風路をジグザグに設けて吸音可能な通風路長さを確保するようにしてもよい。このようにすると、突出部の突出寸法を小さくできる。
【０００８】
請求項２記載の発明は、請求項１記載の建物の換気構造において、通風路の吸気導入部分での形状を広くすることを特徴とする。
【０００９】
請求項３記載の発明は、請求項１または２記載の建物の換気構造において、前記突出部は、建物の塀であることを特徴とする。
【００１０】
請求項４記載の発明は、請求項１または２記載の建物の換気構造において、前記突出部は、建物の軒部材または庇であることを特徴とする。
【００１１】
（作用）
請求項１記載の建物の換気構造によると、前記突出部には、通風路内で吸音可能な通風路長さが確保されているので、複雑な消音機構等を設けなくても外部音は通風路内で吸音され、換気と防音の両立を安価に実現できる。
【００１２】
請求項２記載の建物の換気構造によると、さらに、通風路の吸気導入部分での形状を広くするので、換気性能が一層向上する。
【００１３】
請求項３記載の建物の換気構造によると、さらに、前記突出部は、建物の塀であるから、既存の塀を利用することで特別な換気装置が不要となり、換気と防音の両立を一層安価に実現できる。
しかも、少なくとも塀の長さ分だけ通風路長さを確保できるから、防音性が向上し、塀の高さ分だけ通風路の断面積も確保できるから、換気性能も向上する。
【００１４】
請求項４記載の建物の換気構造によると、さらに、前記突出部は、建物の軒部材または庇であるから、請求項３記載の発明と同様の作用がある。
【００１５】
【発明の実施の形態】
図１は、本発明の実施の形態１であって、（イ）は建物の平面図、（ロ）は（イ）のＡ部拡大して示す断面図である。
【００１６】
本実施の形態１は、建物本体１から屋外側に突出する塀２（突出部）に、一方が屋外に通じ他方が屋内に通じる通風路３が形成され、この通風路３内に吸音材２２を設けた建物の換気構造である。上記塀２には、通風路３内で外部騒音を吸音可能なように、通風路長さＬが確保されている。
【００１７】
具体的には、建物本体１の開口部１１は、間口幅１．８ｍ×高さ２．５ｍで、引き戸となる幅０．９ｍの障子が２枚取り付けられている。
塀２は、上記開口部１１に隣接して屋外側に突出するように設けられ、対向する２枚の面材２１，２１で構成されている。
通風路３は、この２枚の面材２１，２１間に形成され、面材２１，２１の内側面には、厚さ１０ｍｍのガラスウールからなる多孔質吸音材２２が張り付けられている。
通風路３は、図１（イ）に示すように、内側に多孔質吸音材２２が張り付けられた面材２１，２１間の間隔である内幅が０．３５ｍ、高さ方向の寸法が約２．５ｍになされ、通風路長さＬは約０．９ｍになされている。
【００１８】
通風路３の屋外側の吸気導入部分４での形状は、図１（イ）に示すように、両側の面材２１，２１を外側に折り曲げることで広くされ、風量係数が大きくなるようにしている。
ここで、開口部１１の開口面積Ａは、高さ２．５ｍ×幅０．９ｍ＝２．２５ｍ２　であるのに対して、通風路３の開口面積は、高さ２．５ｍ×幅０．３５＝０．８７５ｍ２　である。
上記のように、通風路３の吸気導入部分４を大きくすることにより、風量係数αが最大２．５となり、（風量係数α）×（開口面積Ａ）と相関のある通風路３の通風性能は、１．８ｍの開口部１１の全開程度の通風性能が得られる（表１参照）。
【００１９】
【表１】
2004108100.tif 000003
【００２０】
（本実施の形態１の作用）
本実施の形態１の建物の換気構造によると、前記塀２（突出部）には、通風路３内で吸音可能な通風路長さＬが確保されているので、複雑な消音機構等を設けなくても外部音は通風路３内で吸音され、換気と防音の両立を安価に実現できる。
【００２１】
さらに、通風路３の吸気導入部分４での形状を広くするので、換気性能が一層向上する。
【００２２】
さらに、前記突出部として塀２を利用することで特別な換気装置が不要となり、換気と防音の両立を一層安価に実現できる。
しかも、少なくても塀２の長さ分だけ通風路長さを確保できるから、防音性も向上し、塀の高さ分だけ通風路の断面積も確保できるから、換気性能も向上する。
【００２３】
図２は実施の形態１の変形例を示す建物の平面図である。
図２において、２Ａは塀であって、この塀２Ａは開口部１１の屋外側（例えば、中庭）を囲うように設けられた平面視半円弧状のものである。
塀２Ａは、半円弧状に湾曲した屋内側の面材２１Ａと、この面材２１Ａの屋外側に隙間を設けて対向する一対の湾曲した面材２１Ｂ，２１Ｂで構成されている。
【００２４】
一方の面材２１Ａは屋内側で連続するが、他方の一対の面材２１Ｂ，２１Ｂは屋外側で不連続になされ、塀２Ａの中央部から左半分と右半分のそれぞれに、一方が屋外に通じ他方が屋内に通じる通風路３Ａ，３Ａが両側に形成され、中央部に吸気導入部分４Ａが形成されている。
通風路３Ａ内の面材２１Ａ，２１Ｂには吸音材２２Ａを設け、通風路３Ａ内で外部騒音を吸音可能なように、通風路長さＬを確保している。
【００２５】
本変形例の建物の換気構造は、上記したように、塀２Ａが半円弧形状になされている以外は、前記実施の形態１と本質的に同じであるから、実施の形態の作用についての説明は省略する。
【００２６】
図３と図４は、本発明の実施の形態２であって、図３は建物の縦断面図であり、図４は図３の軒部材の変形例であって、軒部材の先端部における断面図である。
【００２７】
本実施の形態２は、建物本体１から屋外側に水平に突出する軒部材５（突出部）に、一方が屋外に通じ他方が屋内に通じる通風路３が形成され、通風路３内に吸音材５２を設けた建物の換気構造である。
上記軒部材５には、通風路３内で外部騒音を吸音可能な通風路長さＬを確保するようにしている。
【００２８】
具体的には、軒部材５は、開口部１１の上方に屋外側に突出するように設けられ、幅１．８ｍ×突出長０．６ｍになされている。
通風路３は、この軒部材５を構成する上下に対向する２枚の面材５１，５１間に形成され、面材５１，５１の内側面には、厚さ１０ｍｍのガラスウールからなる多孔質吸音材５２が張り付けられている。通風路長さＬは、軒部材５の突出長（０．６ｍ）と略同じになされている。
【００２９】
軒部材５は、図４に示すように、下側の面材５１Ａを上側の面材５１より前方に突出させ、通風路３の屋外側の吸気導入部分を広げるようにしてもよい。
【００３０】
（実施の形態２の作用）
本実施の形態２の建物の換気構造によると、通風路３を軒部材５を利用して形成し、この通風路３内で外部騒音を吸音可能なように、通風路長さＬを確保しているので、特別な換気装置が不要となり、換気と防音の両立を安価に実現できる。
しかも、少なくとも軒部材５の長さ分だけ通風路長さを確保できるから、防音性も向上し、軒部材５の幅分だけ通風路３の断面積も大きくでき、換気性能も向上する。
【００３１】
以上、本発明の一実施の形態を図面により詳述したが、本発明の具体的な構成はこの実施の形態に限られるものではなく、本発明の要旨を逸脱しない範囲の設計の変更等があっても本発明に含まれる。
【００３２】
【発明の効果】
請求項１記載の建物の換気構造によると、複雑な消音機構等を設けなくても外部音は通風路内で吸音され、換気と防音の両立を安価に実現できる。
【００３３】
請求項２記載の建物の換気構造によると、さらに、通風路の吸気導入部分での形状を広くするので、換気性能が一層向上する。
【００３４】
請求項３記載の建物の換気構造によると、さらに、前記突出部は、建物の塀であるから、この塀を利用することで特別な換気装置が不要となり、換気と防音の両立を一層安価に実現できる。
しかも、少なくとも塀の長さ分だけ通風路長さが確保できるから、防音性が向上し、塀の高さ分だけ通風路の断面積も大きくでき、換気性能も向上する。
【００３５】
請求項４記載の建物の換気構造によると、さらに、前記突出部は、建物の軒部材または庇であるから、請求項３記載の発明と同様の効果がある。
【図面の簡単な説明】
【図１】本発明の実施の形態１であって、（イ）は建物の平面図、（ロ）は（イ）のＡ部を拡大して示す断面図である。
【図２】実施の形態１の変形例を示す建物の平面図である。
【図３】本発明の実施の形態２であって、建物の縦断面図である。
【図４】図３の軒先部材の変形例であって、軒下部材の先端部における断面図である。
【符号の説明】
１　　　　建物本体
２，２Ａ　塀（突出部）
３，３Ａ　通風路
４，４Ａ　吸気導入部分
５　　　　軒部材（突出部）
【図１】
2004108100.tif 000004
【図２】
2004108100.tif 000005
【図３】
2004108100.tif 000006
【図４】
2004108100.tif 000007